(57)【要約】      （修正有）【課題】プラグの片刃差し込みを規制することができる床用配線器具を提供する。【解決手段】取付ベースに対して天板１１と取付ボックス２５とで挟み込んで取り付ける床用配線器具１０において、取付ボックスにコンセント２４を取り付ける取付孔２５ａの天板側である上側縁部に、取付孔よりも前方に突出してプラグの片刃差し込みを規制する規制突起２５ｅを設け、規制突起は取付孔から離間する方向に形成すると共に、取り付けボックスから切り起こされて形成されている。【選択図】図２
2015165733.tif 000002
【特許請求の範囲】
【請求項１】
取付ベースに対して天板と取付ボックスとで挟み込んで取り付ける床用配線器具において、
前記取付ボックスのコンセントモジュールを取り付ける取付孔の前記天板側に、前記取付孔よりも前方に突出してプラグの片刃差し込みを規制する規制突起を有することを特徴とする床用配線器具。
【請求項２】
請求項１に記載の床用配線器具において、
前記規制突起は、前記取付孔から離間する方向に形成されることを特徴とする床用配線器具。
【請求項３】
請求項１又は２に記載の床用配線器具において、
前記規制突起は、前記取付ボックスから切り起こされて形成されることを特徴とする床用配線器具。
【発明の詳細な説明】
【技術分野】
【０００１】
本発明は、床用配線器具に関するものである。
【背景技術】
【０００２】
従来、オフィスなどでは、スラブのような床下地の上に、配線用の空間を空けて室内空間の床となる床材が設けられており、このような床材に取り付けられる配線器具として、床用配線器具が知られている（例えば特許文献１参照）。
【０００３】
このような床用配線器具は、電源用コンセント、電話用モジュラジャックコンセント、ＬＡＮ（Local Area Network）用コンセントなどの電気部品を内部に収容する取付ボックスを有している。
【先行技術文献】
【特許文献】
【０００４】
【特許文献１】特開２０１２−２２８０９７号公報
【発明の概要】
【発明が解決しようとする課題】
【０００５】
ところで、上記のような床用配線器具では、コンセントと取付ボックスとの組み付け状態や、コンセントと他の部材との組み付け状態などの理由からコンセント周囲に空間が生じる場合がある。これにより、この空間に電源用コンセントの差し込みプラグの一方の刃を差し込むと、他方の刃のみがコンセントに差し込まれた状態となる虞がある。
【０００６】
本発明は、上記課題を解決するためになされたものであって、その目的は、プラグの片刃差し込みを規制することができる床用配線器具を提供することにある。
【課題を解決するための手段】
【０００７】
上記課題を解決するために、床用配線器具は、取付ベースに対して天板と取付ボックスとで挟み込んで取り付ける床用配線器具において、前記取付ボックスのコンセントモジュールを取り付ける取付孔の前記天板側に、前記取付孔よりも前方に突出してプラグの片刃差し込みを規制する規制突起を有することを特徴とする。
【０００８】
また上記構成において、前記規制突起は、前記取付孔から離間する方向に形成されることが好ましい。
また上記構成において、前記規制突起は、前記取付ボックスから切り起こされて形成されることが好ましい。
【発明の効果】
【０００９】
本発明の床用配線器具によれば、プラグの片刃差し込みを規制することができる。
【図面の簡単な説明】
【００１０】
【図１】実施形態における床用配線器具の斜視図である。
【図２】同上における床用配線器具の分解斜視図である。
【図３】同上における床用配線器具の平面図である。
【図４】同上における床用配線器具の側面図である。
【図５】同上における取付金具について説明するための正面図である。
【発明を実施するための形態】
【００１１】
以下、床用配線器具の一実施形態を図１〜図５に従って説明する。
本実施形態の床用配線器具は、オフィスなどで用いられるものであり、スラブのような床下地の上に、室内空間の床を構成する床材を設置し、床下地と床材との間に設けられた空間に配線などを施工する配線方式を採用している。
【００１２】
図１及び図２に示すように床用配線器具１０は、天板部材１１と、配線器具ブロック２１と、フロアプレート３１とを有する。また、床用配線器具１０は、配線器具ブロック２１に接続された電線を収納する空間を、床材の裏側の空間と仕切るための仕切り部材４１とを有する。
【００１３】
天板部材１１は、金属の薄板にプレス加工を施して四角形環状をなすように形成される。天板部材１１の内周側の角部には、対応する配線器具ブロック２１を取り付けるための取付ねじ２７をそれぞれ挿通させる挿通孔１１ａが設けられる。また、天板部材１１には前記挿通孔１１ａの近傍に後述するプレート部材３２を固定するための取付ねじ３５がそれぞれねじ込まれるねじ孔１１ｂが設けられる。
【００１４】
配線器具ブロック２１は、強電用の配線器具として用いられるＡＣ１００Ｖ用の電源用コンセント２４と、取付ボックスとしての取付金具２５と、電線固定金具２６とを有する。
【００１５】
電源用コンセント２４には、大角形連用配線器具として規格化された既存の配線器具（２極接地極付コンセント）が用いられる。
取付金具２５は、金属板にプレス加工を施して形成される。取付金具２５は、取付孔２５ａを通して電源用コンセント２４の前面２４ａを露出させる器具保持片２５ｂを備えている。この器具保持片２５ｂは、下側に向かって斜め前方（図４の斜め左側）に傾斜しており、電源用コンセント２４もこれに伴って傾斜するように設けられるため、プラグを差し込みやすくなっている。
【００１６】
図２に示すように、器具保持片２５ｂの上側縁中央部からは、床材の下面に当接する当接片２５ｃが一方向（電源用コンセント２４の前面とは反対側）に突出して設けられている。
【００１７】
図２及び図５に示すように、器具保持片２５ｂの上側縁両端部からは、当接片２５ｃと逆方向に突出する固定片２５ｄが設けられている。また、器具保持片２５ｂの上側縁部であって各固定片２５ｄの間には、前記固定片２５ｄの突出方向（設置時における略水平方向）と交差する方向である斜め上方向に突出する片刃差し込みを規制する規制片２５ｅが設けられている。これによって、規制片２５ｅは、コンセント２４を取り付ける取付孔としての取付孔２５ａから離間する方向に形成されることとなる。図５に示すように、規制片２５ｅは、その両端部がＲ曲面形状に形成される。また、規制片２５ｅは、電源用コンセント２４の前面２４ａ側から見た時に、平行型のプラグ差し込み用の穴部２４ｂと上下方向において重なる様に配置される。このため、例えばプラグの片刃のみを上方の穴部２４ｂのみに差し込もうとしても、規制片２５ｅによって片刃差し込みが規制されることとなる。
【００１８】
また器具保持片２５ｂの下側縁には、前記固定片２５ｄと同方向に突出して、仕切り部材４１を固定するための固定片２５ｆが設けられている。
この配線器具ブロック２１は、天板部材１１との間で床材を挟持することによって床材に固定される。すなわち、天板部材１１の挿通孔１１ａにそれぞれ挿通された取付ねじ２７を、対応する固定片２５ｄのねじ孔にねじ込むことによって、天板部材１１と配線器具ブロック２１とが連結される。そして、天板部材１１と配線器具ブロック２１との間に床材を挟んだ状態で取付ねじ２７をねじ込むと、天板部材１１と当接片２５ｃとの間で床材が強く挟持され、配線器具ブロック２１が床材に固定されるようになっている。
【００１９】
電線固定金具２６は、取付金具２５の固定片２５ｆに螺子固定されており、その後側縁には、合成樹脂により帯状に形成された結束バンド（図示せず）を挿通する挿通孔２６ａが複数形成されている。電源用コンセント２４の後面に、床材の下側の配線スペースに配線された電力線（図示せず）を挿通すると、内部に収納された速結端子構造の端子部（図示せず）に電力線が接続されるようになっている。本実施形態では、施工者が、電源用コンセント２４に接続した電力線を、挿通孔２６ａに通した結束バンドで結束することによって、電力線を電線固定金具２６に固定することができ、端子部に加わる張力を低減できる。
【００２０】
なお、本実施形態の床用配線器具１０では、仕切り部材４１を挟んで前記配線器具ブロック２１とは反対側には、例えば弱電用の配線器具として用いられるＬＡＮコンセントを取り付けるための取付金具２５が設けられる。この取付金具２５は、配線器具ブロック２１に取付金具２５と略同様の構成を有しているため、共通する構成要素には同一の符号を付して、その説明は省略する。
【００２１】
仕切り部材４１は、金属板を略Ｕ字型に曲げ加工することによって形成され、中央片４１ａには取付金具２５に設けられた固定片２５ｆのねじ孔にそれぞれ対応する位置に挿通孔４１ｂが形成されている。この仕切り部材４１は、挿通孔４１ｂに挿通した固定ねじ４１ｃが対応する固定片２５ｆのねじ孔にねじ込まれることで、各取付金具２５に固定されるようになっている。そして、この仕切り部材４１は、各取付金具２５とともに、床材の下側の空間を仕切って、配線器具ブロック２１等に接続される電線を収める収納空間を形成する。
【００２２】
図１〜図４に示すように、フロアプレート３１は、枠部としてのプレート部材３２と、蓋部３３とを有する。
プレート部材３２は、例えばアルミダイキャストにより、４辺の長さが略等しい矩形枠状に形成されており、縁部３２ａと、縁部３２ａの中央には矩形の開口部３２ｂを有する。ここで、図４に示すように、前記電源用コンセント２４は、その前面２４ａが前記開口部３２ｂの開口幅よりも奥側（図において右側）に配設されるため、床用配線器具１０を鉛直方向上側から下方向を見た時に、縁部３２ａによって隠れた位置に配設されることとなる。
【００２３】
縁部３２ａは、開口部３２ｂの開口端縁において、１辺を除く３辺から内側方向に突出して、蓋部３３が閉じられた際に蓋部３３の一部が載置される載置片３２ｃが形成されている。この載置片３２ｃには、天板部材１１にそれぞれ設けられたねじ孔１１ｂに対応する位置に、取付ねじ３５を挿通する各２個の挿通孔３２ｄが設けられる。蓋部３３は、開口部３２ｂの開口端縁のうち載置片３２ｃが形成されていない１辺と平行な回転軸を有するヒンジ部３７を中心に回動可能とされる。このとき、ヒンジ部３７は、前記コンセント２４と鉛直方向（図４における上下方向）に重ならない位置に設けられる。
【００２４】
蓋部３３は、例えばアルミダイキャストにより矩形板状に形成された蓋板３３ａを有する。蓋板３３ａには、配線器具ブロック２１に接続される電線（図示せず）を通すための凹部３３ｂが形成されている。また蓋板３３ａには、例えばアルミダイキャストにより横長の矩形板状に形成されて、凹部３３ｂを開閉自在に閉塞する通線用扉３３ｃが回転自在に取り付けられている。この通線用扉３３ｃの下面には、図２に示すように下方に突出する複数（本実施形態では例えば２個）の脚片３３ｄが間隔を開けて設けられている。なお、脚片３３ｄの間には、通線用扉３３ｃの開口を通して床下に配線される電線（図示せず）を保護するためのブッシング３３ｅが保持されている。
【００２５】
次に、本実施形態の作用を説明する。
本実施形態の床用配線器具１０は、電源用コンセント２４を有するため、使用者が電源を必要とする際に、蓋部３３を回動させて開口部３２ｂを開放することで電源用コンセント２４を利用することが可能となっている。このとき、電源用コンセント２４に例えば２極コンセント用（接地極無し）のプラグを差し込む場合、例えば、手元が見えずにプラグの片刃のみを上方の穴部２４ｂのみに差し込もうとしても、規制片２５ｅによって片刃差し込みが規制されるようになっている。
【００２６】
次に、本実施形態の効果を記載する。
（１）取付金具２５の電源用コンセント２４を取り付ける取付孔２５ａの天板部材１１側である上側縁部に、取付孔２５ａよりも前方に突出してプラグの片刃差し込みを規制する規制片２５ｅを有する。これによって、プラグの片刃差し込みを規制することができる。
【００２７】
（２）規制片２５ｅは、取付孔２５ａから離間する方向に形成されるため、プラグを正しく差し込む際に差し込み作業を阻害することを抑えることができる。
（３）規制片２５ｅは、取付金具２５から切り起こされて形成されるため、一体形成することができる。これにより、部品点数の増加を抑えることができる。
【００２８】
なお、上記実施形態は、以下のように変更してもよい。
・上記実施形態では、規制片２５ｅは、切り起こしによって取付金具２５とあらかじめ一体形成される構成としたが、これに限らない。例えば取付金具２５に対して規制片２５ｅを溶着するなど後から一体的な構成としてもよい。
【００２９】
・上記実施形態では、規制片２５ｅは取付孔２５ａから離間する方向に形成したが、取付孔２５ａが面する方向と同方向に延出（突出）させる構成を採用してもよい。
・上記実施形態では、規制片２５ｅはその両端部がＲ曲面形状としたが、Ｃ面取り形状やピン角形状を採用してもよい。
【符号の説明】
【００３０】
１０…床用配線器具、１１…天板部材（天板）、２４…コンセント、２５…取付金具（取付ボックス）、２５ａ…取付孔、２５ｅ…規制片。
【図１】
2015165733.tif 000003
【図２】
2015165733.tif 000004
【図３】
2015165733.tif 000005
【図４】
2015165733.tif 000006
【図５】
2015165733.tif 000007